(57)【特許請求の範囲】
【請求項１】
直線又は曲線で傾斜する支持縁（1）が垂直中心線を軸として左右対称に形成されたカーボンファイバー又はガラスファイバー製の二枚の板状体からなり、該板状体の下辺中央部に山形の切欠部（11）（12）を形成し又は形成することなく支持脚（8）（9）又は（8A）（9A）を設けて、一方の板状体の下辺中央から上方に向かって結合用スリット（6）（6A）を形成し、これに対応する板状体の上辺中央から下方に向かって結合用スリット（7）（7A）を形成し、両スリットを垂直中心線に一致させて交叉状に咬合立体化し、上部先端に形成した水平部（4B）（5B）又は（4C）（5C）が渦巻き薫香中心部を支持固定する渦巻き薫香用燻焼具において、
二枚の板状体の直線又は曲線で傾斜する支持縁（1）の下部から徐々に外側に張り出して形成した各掛部（10）が渦巻き薫香の最外周の輪一巻を支持固定することを特徴とする渦巻き薫香用燻焼具。
【請求項２】
直線又は曲線で傾斜する支持縁（1）が垂直中心線を軸として左右対称に形成されたカーボンファイバー又はガラスファイバー製の二枚の板状体からなり、該板状体の下辺中央部に山形の切欠部（11）（12）を形成し又は形成することなく支持脚（8）（9）又は（8A）（9A）を設けて、一方の板状体の下辺中央から上方に向かって結合用スリット（6）（6A）を形成し、これに対応する板状体の上辺中央から下方に向かって結合用スリット（7）（7A）を形成し、両スリットを垂直中心線に一致させて交叉状に咬合立体化する渦巻き薫香用燻焼具において、
二枚の板状体（2）（3）又は（2A）（3A）の上部先端に形成した突起（4）（5）又は（4A）（5A）により、渦巻き薫香中心部を支持固定して、直線又は曲線で傾斜する支持縁（1）の下部から徐々に外側に張り出して形成した各掛部（10）が渦巻き薫香の最外周の輪一巻を支持固定することを特徴とする渦巻き薫香用燻焼具。
【請求項３】
二枚の板状体（2A）（3A）又は（2C）（3C）と、その山形の切欠部（11）（12）に対応する灰受け皿の中央に形成された錐台（F）と、該錐台頂部に十字の切溝（D）を有する柱状の合成樹脂製の支持部（E）を固着した灰受け皿（C）とからなる請求項１又は２記載の渦巻き薫香用燻焼具。
【発明の詳細な説明】
【０００１】
【発明が属する技術分野】
本発明は、渦巻き薫香の最外周の輪一巻を一定間隔で保持でき、しかも立ち消えを起こさない渦巻き薫香用燻焼具に関するものである。
【０００２】
【従来の技術】
従来の技術として、二枚の断熱支持板を交叉状に咬合立体化して渦巻き薫香を支持する渦巻き薫香用燻焼具などがある。
【０００３】
【発明が解決しようとする課題】
前記従来の渦巻き薫香用燻焼具は、直線又は曲線で傾斜する支持縁を有する二枚の断熱支持板を交叉状に組み合わせることにより、立体的に渦巻き薫香を支持することができるが、渦巻き薫香の最外周はそれ以下に薫香の輪がないので、重量が掛からず、自重では垂れ下がり難いため、その内周の輪と接触し易く、その接触部分で熱が奪われて立消えしたり、逆に内周の輪に燃え移ったり、熱で変形してしまうことがあった。また、渦巻き薫香中心部の最内周においても、外周燃焼部の熱で、内周が熱せられて変形したり、外周の燃焼が内周に燃え移ったり、逆に最後まで燃焼が伝わらない等の解決すべき課題が生じていた。
【０００４】
【課題を解決するための手段】
本発明は、上記の課題を解決するものであって、請求項１記載の発明は、直線又は曲線で傾斜する支持縁（1）が垂直中心線を軸として左右対称に形成されたカーボンファイバー又はガラスファイバー製の二枚の板状体からなり、該板状体の下辺中央部に山形の切欠部（11）（12）を形成し又は形成することなく支持脚（8）（9）又は（8A）（9A）を設けて、一方の板状体の下辺中央から上方に向かって結合用スリット（6）（6A）を形成し、これに対応する板状体の上辺中央から下方に向かって結合用スリット（7）（7A）を形成し、両スリットを垂直中心線に一致させて交叉状に咬合立体化し、上部先端に形成した水平部（4B）（5B）又は（4C）（5C）が渦巻き薫香中心部を支持固定する渦巻き薫香用燻焼具において、
二枚の板状体の直線又は曲線で傾斜する支持縁（1）の下部から徐々に外側に張り出して形成した各掛部（10）が渦巻き薫香の最外周の輪一巻を支持固定することを特徴とする構成である。
【０００５】
請求項２記載の発明は、直線又は曲線で傾斜する支持縁（1）が垂直中心線を軸として左右対称に形成されたカーボンファイバー又はガラスファイバー製の二枚の板状体からなり、該板状体の下辺中央部に山形の切欠部（11）（12）を形成し又は形成することなく支持脚（8）（9）又は（8A）（9A）を設けて、一方の板状体の下辺中央から上方に向かって結合用スリット（6）（6A）を形成し、これに対応する板状体の上辺中央から下方に向かって結合用スリット（7）（7A）を形成し、両スリットを垂直中心線に一致させて交叉状に咬合立体化した渦巻き薫香用燻焼具において、
二枚の板状体（2）（3）又は（2A）（3A）の上部先端に形成した突起（4）（5）又は（4A）（5A）により、渦巻き薫香中心部を支持固定して、直線又は曲線で傾斜する支持縁（1）の下部から徐々に外側に張り出して形成した各掛部（10）が渦巻き薫香の最外周の輪一巻を支持固定することを特徴とする構成である。
【０００６】
請求項３記載の発明は、二枚の板状体（2A）（3A）又は（2C）（3C）と、その山形の切欠部（11）（12）に対応する灰受け皿の中央に形成された錐台（F）と、該錐台頂部に十字の切溝（D）を有する柱状の合成樹脂製の支持部（E）を固着した灰受け皿（C）とからなる構成で請求項１又は２の記載を引用するものである。
【０００７】
【発明の効果】
本発明の渦巻き薫香用燻焼具は、直線又は曲線で傾斜する支持縁（1）を有する二枚の板状体の上部先端に形成した水平部、または板状体上部先端に形成した突起により渦巻き薫香の上部中心部を固定し、さらに前記板状体の支持縁（1）の下部から徐々に外側に張り出して形成した各掛部（10）により渦巻き薫香の最外周の輪一巻を支持固定したので、渦巻き薫香中心部の最内周とその外周との間隔が一定に保たれ、渦巻き薫香中心部の最内周とその外周とが接触して立消えを起こしたり、外周の燃焼が内周に燃え移る等の恐れがなく、最後まで無駄なく薫香を燃焼させて有効に使用できるようになった。
【０００８】
また、本発明の渦巻き薫香用燻焼具は、前記二枚の板状体（2）（3）又は（2A）（3A）或いは（2B）（3B）又は（2C）（3C）の直線又は曲線で傾斜する支持縁（1）の下部から徐々に外側に張り出した渦巻き薫香の最外周の輪一巻を支持する掛部（10）を形成することにより、自重では垂れ下がり難い最外周の輪一巻が掛部（10）で支持固定され、立消えの恐れがなく、内周との間隔も一定に保たれるためスムーズに燃焼が伝わるようになった。
【０００９】
最外周と中心部の最内周以外は、突起や掛部等を設けなくても咬合立体化した板状体の支持縁（1）に渦巻き薫香の一巻一巻が接触支持されるため、一定の間隔を保ちながら燃焼が進むものである。
【００１０】
さらに、本発明の渦巻き薫香用燻焼具は、直線又は曲線で傾斜する支持縁（1）を有する二枚の板状体（2B）（3B）又は（2C）（3C）がカーボンファイバー又はガラスファイバー製であるため、上部先端に形成された渦巻き薫香中心部を固定する水平部（4B）（5B）又は（4C）（5C）において、渦巻き薫香の燃焼が板状体に接触しても立消えすることなく、最後まで燃焼させることができる。また、二枚の板状体の上部先端が水平である場合は、従来の吊り糸付きの渦巻き薫香にも使用することができる。
【００１１】
上記構成の渦巻き薫香用燻焼具のうち、支持脚中央に切欠部（11）（12）を形成した板状体（2A）（3A）又は（2C）（3C）は、この板状体の各々に設けた結合用スリット同士を交叉状に咬合立体化して燻焼具主体（A）を形成した場合、その切欠部と灰受け皿中央に形成された錐台（F）の頂部に設けた十字の切溝（D）を有する合成樹脂製の支持部（E）に嵌るよう構成されているため、燻焼具主体（A）と金属製の灰受け皿（C）の正確な位置決め支持が確実且つ簡単で、倒れることなく安定した状態で載置され、安全に使用することができる。
尚、灰受け皿中央に十字の切溝を有する柱状の支持部のみを形成した場合には、本発明の何れの燻焼具主体でも該支持部に嵌合して使用することが可能である。
【００１２】
また、二枚の板状体の厚さは薄く、カーボンファイバー又はガラスファイバー製であるため非常に軽量であり、弾力性があるため変形する恐れも少なく、耐熱性もあり、長時間使用することができる。さらに、熱伝導率が極めて小さく薫香燃焼部の熱の吸収が少ないため、水平部に薫香中心部を載置させても立ち消えする恐れがない。尚、本発明の燻焼具は、渦巻き線香をはじめ蚊取り線香にも応用できる。
【００１３】
【発明の実施の形態及び実施例】
図１は実施例１の渦巻き薫香用燻焼具を構成する一方の板状体の正面図、図２は実施例１の渦巻き薫香用燻焼具を構成する他方の板状体の正面図、図３は実施例２の渦巻き薫香燻焼具を構成する一方の板状体の正面図、図４は実施例２の渦巻き薫香用燻焼具を構成する他方の板状体の正面図、図５は実施例３の渦巻き薫香燻焼具を構成する一方の板状体の正面図、図６は実施例３の渦巻き薫香用燻焼具を構成する他方の板状体の正面図、図７は実施例４の渦巻き薫香燻焼具を構成する一方の板状体の正面図、図８は実施例４の渦巻き薫香用燻焼具を構成する他方の板状体の正面図、図９は錐台に支持部を取付けた灰受け皿の斜視図、図１０は灰受け皿に燻焼具主体を取付て渦巻き薫香を載置した一部切欠の使用状態斜視説明図である。
【００１４】
（実施例１）
図１、２に示すごとく、直線又は曲線で傾斜する支持縁（1）が垂直中心線を軸として左右対称に形成された厚さ約２〜３mmのカーボンファイバー又はガラスファイバー製の二枚の板状体（2）（3）において、一方の板状体（2）は、上部先端に高さ約３〜５mmの突起（4）を形成し、直線又は曲線で傾斜する支持縁（1）の下部から徐々に外側に張り出して掛部（10）を形成し、下辺を支持脚（8）とするとともに、下辺中央から上方に向かって結合用スリット（6）を形成した構成とし、他方の板状体（3）の上辺中央から下方に向かって結合用スリット（7）を形成し、前記と同様上部先端に高さ約３〜５mmの突起（5）を形成し、直線又は曲線で傾斜する支持縁（1）の下部から徐々に外側に張り出して掛部（10）を形成し、下辺を支持脚（9）とするとともに、前記板状体の結合用スリット（6）に対応する結合用スリット（7）を垂直中心線に一致させて形成した構成とし、前記二枚の板状体をそれぞれの結合用スリットを利用して交叉状に咬合立体化した燻焼具主体（A）の上部先端に形成した突起（4）（5）に渦巻き薫香中心部の最内周の輪一巻を嵌めて固定し、直線又は曲線で傾斜する支持縁（1）の下部から徐々に外側に張り出して形成された各掛部（10）に渦巻き薫香の最外周の輪一巻を掛けて固定し、該渦巻き薫香の下端に着火して芳香を漂わせるように使用する構成である。
【００１５】
（実施例２）
図３、４に示すごとく、直線又は曲線で傾斜する支持縁（1）が垂直中心線を軸として左右対称に形成された厚さ約２〜３mmのカーボンファイバー又はガラスファイバー製の二枚の板状体（2A）（3A）において、一方の板状体（2A）は、上部先端に高さ約３〜５mmの突起（4A）を形成し、直線又は曲線で傾斜する支持縁（1）の下部から徐々に外側に張り出して掛部（10）を形成し、下辺中央部に山形の切欠部（11）を設けて支持脚（8A）を形成するとともに、下辺中央から上方に向かって結合用スリット（6A）を形成した構成とし、他方の板状体（3A）の上辺中央から下方に向かって結合用スリット（7A）を形成し、前記と同様上部先端に高さ約３〜５mmの突起（5A）を形成し、直線又は曲線で傾斜する支持縁（1）の下部から徐々に外側に張り出して掛部（10）を形成し、下辺中央部に山形の切欠部（12）を設けて支持脚（9A）とするとともに、前記板状体（2A）の結合用スリット（6A）に対応する結合用スリット（7A）を垂直中心線に一致させて形成した構成とし、前記二枚の板状体をそれぞれの結合用スリットを利用して交叉状に咬合立体化した燻焼具主体（A）の上部先端に形成された突起（4A）（5A）に渦巻き薫香中心部の最内周の輪一巻を嵌めて固定し、直線又は曲線で傾斜する支持縁（1）の下部から徐々に外側に張り出して形成された各掛部（10）に渦巻き薫香の最外周の輪一巻を掛けて固定し、該渦巻き薫香の下端に着火して芳香を漂わせるように使用する構成であり、実施例１と比較して板状体に山形の切欠部（11）（12）を設けて支持脚（8A）（9A）を形成した構成が相違するものである。
【００１６】
（実施例３）
図５、６に示すごとく、直線又は曲線で傾斜する支持縁（1）が垂直中心線を軸として左右対称に形成された厚さ約２〜３mmのカーボンファイバー又はガラスファイバー製の二枚の板状体（2B）（3B）において、一方の板状体（2B）は、上部先端に渦巻き薫香中心部を固定する水平部（4B）（5B）を形成するとともに、直線又は曲線で傾斜する支持縁（1）の下部から徐々に外側に張り出して掛部（10）を形成し、下辺を支持脚（8）とするとともに、下辺中央から上方に向かって結合用スリット（6）を形成した構成とし、他方の板状体（3B）の上辺中央から下方に向かって結合用スリット（7A）を形成し、前記と同様上部先端に渦巻き薫香中心部を固定する水平部（4B）（5B）を形成するとともに、上部先端に突起（5B）を形成し、直線又は曲線で傾斜する支持縁（1）の下部から徐々に外側に張り出して掛部（10）を形成し、下辺を支持脚（9）とするとともに、前記板状体の結合用スリット（6）に対応する上辺中央から下方に向かって形成した結合用スリット（7）を垂直中心線に一致させた構成とし、前記二枚の板状体をそれぞれの結合用スリットを利用して交叉状に咬合立体化した燻焼具主体（A）の上部先端に形成された水平部（4B）（5B）に渦巻き薫香中心部を載置し、直線又は曲線で傾斜する支持縁（1）の下部から徐々に外側に張り出して形成された各掛部（10）に渦巻き薫香の最外周の輪一巻を掛けて固定し、該渦巻き薫香の下端に着火して芳香を漂わせるように使用する構成で、実施例１と比較して、板状体（2B）（3B）の上部先端に水平部（4B）（5B）を形成した構成が相違するものである。
【００１７】
（実施例４）
図７、８に示すごとく、直線又は曲線で傾斜する支持縁（1）が垂直中心線を軸として左右対称に形成された厚さ約２〜３mmのカーボンファイバー又はガラスファイバー製の二枚の板状体（2C）（3C）において、一方の板状体（2C）は、上部先端に水平部（4C）を形成し、直線又は曲線で傾斜する支持縁（1）の下部から徐々に外側に張り出して掛部（10）を形成し、下辺中央部に山形の切欠部（11）を設けて支持脚（8A）を形成するとともに、下辺中央から上方に向かって結合用スリット（6A）を形成した構成とし、これに対応する他方の板状体（3C）は、上辺中央から下方に向かって形成した結合用スリット（7A）を垂直中心線に一致させた構成とし、前記と同様上部先端に水平部（5C）を形成し、直線又は曲線で傾斜する支持縁（1）の下部から徐々に外側に張り出して掛部（10）を形成し、下辺中央部に山形の切欠部（12）を設けて支持脚（9A）とする前記二枚の板状体（2C）（3C）をそれぞれの結合用スリットを利用して交叉状に咬合立体化した燻焼具主体（A）の上部先端に形成された水平部（4C）（5C）に渦巻き薫香中心部を載置し、直線又は曲線で傾斜する支持縁（1）の下部から徐々に外側に張り出して形成された各掛部（10）に渦巻き薫香の最外周の輪一巻を掛けて固定し、該渦巻き薫香の下端に着火して芳香を漂わせるように使用する構成であり、実施例２と比較して板状体（2C）（3C）の上部先端に水平部（4C）（5C）を形成した構成が相違するものである。
【００１８】
（実施例５）
図１０は、上記実施例２と図９を組み合わせて載置した使用形態を示すものであり、実施例２の交叉状に咬合立体化した二枚の板状体（2A）（3A）の下辺中央部に設けた山形の切欠部（11）（12）を、金属製の灰受け皿（C）の中央に形成された打ち出し錐台（F）の頂部に設けた十字の切溝（D）を有する柱状の合成樹脂製の支持部（E）に嵌合して固定することを特徴とした構成である。また、実施例４の二枚の板状体においても、切欠部が設けられているため、同様に図９と組み合わせて使用できる。
さらに灰受け皿の中央に十字の切溝を有する柱状の合成樹脂製の支持部（E）を設けた灰受け皿であれば、本発明の交叉状に咬合立体化した燻焼具主体を固定することが出来るものである。
又、支持部（E）を設けていない灰受け皿であれば、本発明の交叉状に咬合立体化した燻焼具主体を固定は出来ないが灰受け皿に載置して使用することができる。
【００１９】
【図面の簡単な説明】
【図１】  実施例１の渦巻き薫香用燻焼具を構成する一方の板状体の正面図である。
【図２】  実施例１の渦巻き薫香用燻焼具を構成する他方の板状体の正面図である。
【図３】  実施例２の渦巻き薫香用燻焼具を構成する一方の板状体の正面図である。
【図４】  実施例２の渦巻き薫香用燻焼具を構成する他方の板状体の正面図である。
【図５】  実施例３の渦巻き薫香用燻焼具を構成する一方の板状体の正面図である。
【図６】  実施例３の渦巻き薫香用燻焼具を構成する他方の板状体の正面図である。
【図７】  実施例４の渦巻き薫香用燻焼具を構成する一方の板状体の正面図である。
【図８】  実施例４の渦巻き薫香用燻焼具を構成する他方の板状体の正面図である。
【図９】  錐台に支持部を取付けた灰受け皿の斜視図である。
【図１０】  灰受け皿に燻焼具主体を取付けて渦巻き薫香を載置した使用状態を示す一部切欠の斜視説明図である。
【符号の説明】
(1)       支持縁
(2)       板状体
(2A)      板状体
(3)       板状体
(3A)      板状体
(4)       突起
(4A)      突起
(5)       突起
(5A)      突起
(6)       結合用スリット
(6A)      結合用スリット
(7)       結合用スリット
(7A)      結合用スリット
(8)       支持脚
(8A)      支持脚
(9)       支持脚
(9A)      支持脚
(10)      掛部
(11)      切欠部
(12)      切欠部
(A)       燻焼具主体
(B)       渦巻き薫香
(C)       金属製の灰受け皿
(D)       切溝
(E)       支持部
(F)       錐台
【図１】
0003740608.tif 000002
【図２】
0003740608.tif 000003
【図３】
0003740608.tif 000004
【図４】
0003740608.tif 000005
【図５】
0003740608.tif 000006
【図６】
0003740608.tif 000007
【図７】
0003740608.tif 000008
【図８】
0003740608.tif 000009
【図９】
0003740608.tif 000010
【図１０】
0003740608.tif 000011